(57)【特許請求の範囲】
【請求項１】
浴槽の水を加熱する加熱手段および熱交換器と、
浴槽と前記熱交換器を繋ぐふろ循環路と、
浴槽の水を浴槽と前記熱交換器の間で循環させるためのポンプと、
前記ふろ循環路に取り付けられた浴槽の水の温度を検出するふろ温度センサーと、
浴槽の水の沸き上がり温度および保温温度を設定するリモコンを備えたふろ加熱装置において、
前記ふろ循環路の循環量に基づき、前記リモコンで設定されたふろ沸き上がり温度および保温温度を補正するふろ温度補正手段を備えることを特徴としたふろ加熱装置。
【請求項２】
前記ふろ温度補正手段は、任意に温度の補正ができることを特徴とする請求項１に記載のふろ加熱装置。
【請求項３】
前記ふろ温度補正手段は、前記リモコン上に設けたことを特徴とする請求項１または２に記載のふろ加熱装置。
【発明の詳細な説明】
【０００１】
【発明の属する技術分野】
本発明は、浴槽の水を加熱する加熱手段および熱交換器と、浴槽と前記熱交換器を繋ぐふろ循環路と、浴槽の水を浴槽と前記熱交換器の間で循環させるためのポンプと、前記ふろ循環路に取り付けられた浴槽の水の温度を検出するふろ温度センサーと、浴槽の水の沸き上げ温度および保温温度を設定するリモコンを備えたふろ加熱装置に関する。
【０００２】
【従来の技術】
従来、ふろ加熱装置において、浴槽の水の温度を検出するふろ温度センサーの検出する温度が、リモコンで設定された浴槽の水の沸き上げ温度まで上昇した時点で加熱を停止するものがあった。例えばリモコンの沸き上げ温度の設定値が４０℃の場合、ふろ温度センサーの検出温度が４０℃となった時点で加熱を停止していた。
【０００３】
【発明が解決しようとする課題】
しかしながら、従来のものでは、沸かし上げ時の浴槽水の攪拌が不十分な場合に、加熱装置からポンプにより送られた水がショートサーキットを起こしてしまい、その結果、ふろ温度センサーの検出温度が実際の浴槽内の水の温度よりも高くなり、実際の浴槽内の水は沸き上げ温度の設定値に到達していないにも関わらず、加熱を停止してしまうという問題点があった。ここで、ショートサーキットとは、図１のａで示すように、加熱装置で加熱された水が、浴槽内の水を十分に攪拌せずに再び加熱装置に戻ってきてしまう現象のことである。この問題点を解決するために、従来のものでは、加熱停止後も所定時間ポンプを運転し十分に攪拌した後で、ふろ温度センサーの検出温度と沸き上げ温度の設定値を比較し、沸き上がったかどうかを判断するものがある。しかしながら、このものにおいても、一旦、温度むらができてしまった浴槽内の水の温度を均一にするにはかなりの時間ポンプを運転する必要があり、消費電力が大きくなったり、特に冬場などは浴槽水の循環により放熱が促進され、逆に浴槽の水の温度が低下してしまうなど、エネルギーを無駄にするという問題点があった。
【０００４】
本発明は、上記課題を解決するためになされたもので、本発明の目的は、エネルギーを無駄にすることなく、実際の浴槽内の水を沸き上げ温度の設定値まで沸かし上げることのできる加熱装置を提供することにある。
【０００５】
【課題を解決するための手段及びその作用・効果】
上記目的を達成するために請求項１は、浴槽の水を加熱する加熱手段および熱交換器と、浴槽と前記熱交換器を繋ぐふろ循環路と、浴槽の水を浴槽と前記熱交換器の間で循環させるためのポンプと、前記ふろ循環路に取り付けられた浴槽の水の温度を検出するふろ温度センサーと、浴槽の水の沸き上げ温度および保温温度を設定するリモコンを備えたふろ加熱装置において、前記リモコンで設定されたふろ沸き上がり温度および保温温度を補正するふろ温度補正手段を備えることとしたので、実際の浴槽内の水の温度に合わせてふろ沸き上がり温度および保温温度を補正することができ、ポンプを無駄に運転することなく、実際の浴槽内の水を沸き上げ温度の設定値にまで沸かし上げることができる。
【０００６】
請求項２では、前記ふろ温度補正手段は、任意に温度の補正ができるようにしたので、設置現場ごとの浴槽の水の攪拌状態に応じて、ふろ沸き上がり温度および保温温度の補正をすることができる。
【０００７】
請求項３では、前記ふろ温度補正手段は前記リモコン上に設けることとしたので、使用者が簡単にふろ沸き上がり温度および保温温度の補正をすることができる。
【０００８】
請求項４では、前記ふろ温度補正手段は、前記ふろ循環路の循環量に基づき、前記リモコンで設定されたふろ沸き上がり温度および保温温度を補正することとしたので、温度が自動で補正されるため、わざわざ使用者がリモコンで補正操作をする必要がない。
【０００９】
【発明の実施の形態】
以下、本発明の実施の形態を、図面により詳細に説明する。
【００１０】
図２は、本発明の一実施形態である加熱装置をガス給湯機に適用した構成図である。上記ガス給湯機は、図示のように、給湯機本体１、給水源から給湯機本体１に水を供給するための給水管３、及び給湯機本体１内で加熱された水を熱交換器７を介して給湯栓１１に供給するための給湯管５で構成されている。更に、給湯機本体１内の給水管３から分岐し、熱交換器７を介さずに給湯管５に接続されたバイパス管４３と、バイパス管４３と給湯管５の合流部には、熱交換器７で加熱された湯と、バイパス管４３から送られてきた水を指令パルスに基づき駆動するステッピングモータＭにより混合制御する混合弁４１が備えられている。
【００１１】
また、給水管３には、給湯源からの水の温度Ｔｃを検出する入水温度センサー２５、及び水の量Ｑを検出する水量センサ２７、給湯管５の混合弁４１よりも上流側には、熱交換器７出口の温度Ｔｈを検出する熱交換器出口温度センサー４５、混合弁４１よりも下流側には、混合された後の混合湯温Ｔｍを検出する混合湯温検出センサー２９、熱交換器内の給湯管には、追焚時に給湯管内の水の温度Ｔｚを検出する沸騰防止センサー４７が備えられている。
【００１２】
また、給湯機本体１内には、燃焼するのに必要な空気を供給するためのファン９をも備える。さらにバーナ１３の上部には着火する際に必要なイグナイタ１５、火炎の有無を検出するフレームロッド１７が設けられている。また、バーナ１３にガスを供給するためのガス供給管２３が設けられ、ガス供給管２３には供給するガス量を可変するための比例弁１９及びガスの供給を開始／停止するための電磁弁２１がそれぞれ備えられている。
【００１３】
一方、ふろ循環路２は端部を浴槽１１に接続し、中途には浴槽１１内の湯を循環させるためのポンプ４、循環流量Ｑｆを検出するためのふろ水量センサー１０、浴槽１１内の湯温Ｔｆを検出するふろ温度センサー４９を備える。
【００１４】
また、リモコン３３には、運転スイッチ３５、浴槽の水の沸き上げ温度および保温温度（以下ふろ設定温度と呼ぶ）Ｔｆｓを設定する温度設定スイッチ３９、浴槽１１内の湯を沸かし上げ、その後、保温する際にオン操作する沸かし上げ保温スイッチ３８、ふろ設定温度Ｔｆｓ等を表示する表示部３７を備える。
【００１５】
上記ガス給湯機は更に、ポンプ４、比例弁１９、電磁弁２１、ファン９、混合弁４１等の制御を行う制御部３１をも備える。
【００１６】
図３は、本発明の一実施形態である加熱装置の制御部３１の制御ブロック図である。
【００１７】
リモコン３３の温度設定スイッチ３９によりふろ設定温度Ｔｆｓが設定され、沸き上がり・保温温度設定手段５１へ送られる。沸き上がり・保温温度補正手段５２では補正量△Ｔを決め、沸き上がり・保温温度設定手段５１へ送る。補正量△Ｔは、沸き上がり時の実際の浴槽内の水の温度とふろ設定温度Ｔｆｓの差を使用者がリモコン３３で設定する。その設定方法は、運転スイッチ３５がオフ状態の時に、沸かし上げ保温スイッチ３８を１０秒以上押し続けることで、補正量△Ｔの設定モードとなる。その後、温度設定スイッチ３９を操作し補正量△Ｔを設定する。表示部３７には補正量△Ｔが表示される。１０秒間、温度設定スイッチ３９の操作がないと補正量△Ｔが確定される。また、別の実施例として、水量センサー１０の検出する循環流量Ｑｆに基づき、沸き上がり・保温温度補正手段５２で自動設定する方法がある。浴槽内の水の攪拌度合いは、循環流量Ｑｆにより左右されるため、循環流量Ｑｆにより補正量△Ｔを決定する。
【００１８】
図４は、循環流量Ｑｆと補正量△Ｔの関係図であらかじめ実験により求められたものであり、これを沸き上がり・保温温度補正手段５２に記憶させておき、循環流量Ｑｆにより補正量△Ｔを決定する。循環流量Ｑｆが５リットル／ｍｉｎの場合は、補正量△Ｔは２Ｋとなる。沸き上がり・保温温度設定手段５１ではふろ設定温度Ｔｆｓと補正量△Ｔを加算して、沸き上がり判定部５３へ加算値Ｔｆｓ＋△Ｔを送る。ふろ設定温度Ｔｆｓを４０℃としている場合、加算値Ｔｆｓ＋△Ｔは４２℃となる。
【００１９】
また、本実施例では循環流量Ｑｆが６リットル／ｍｉｎ以上の場合でも浴槽１１内の水を完全に攪拌することはできないため、補正量△Ｔは０．５Ｋとしている。
【００２０】
沸き上がり判定部５３ではこの加算値Ｔｆｓ＋△Ｔと浴槽１１内の湯温Ｔｆを比較して、燃焼制御部５４へふろの追焚燃焼を行うのか停止するのかの判断情報Ｆを送る。燃焼制御部５４では、判断情報Ｆに基づきポンプ４、比例弁１９、電磁弁２１、ファン９を制御する。この時、リモコン３３の運転スイッチ３５がオン状態の時は、表示部３７には、補正量△Ｔとは関係なく、常にふろ設定温度Ｔｆｓが表示されている。
【図面の簡単な説明】
【図１】ショートサーキットの説明図
【図２】本発明の一実施形態である加熱装置をガス給湯機に適用した構成図
【図３】本発明の一実施形態である加熱装置の制御部３１の制御ブロック図
【図４】循環流量Ｑｆと補正量△Ｔの関係図
【符号の説明】
４…ポンプ
７…熱交換器
９…ファン
１０…ふろ水量センサー
１１…ふろ循環路浴槽
１９…比例弁
２１…電磁弁
３１…制御部
３３…リモコン
３５…運転スイッチ
３７…表示部
３８…沸かし上げ保温スイッチ
３９…温度設定スイッチ
４９…温度センサー
５１…沸き上がり・保温温度設定手段
５２…沸き上がり・保温温度補正手段
Ｔｆｓ…ふろ設定温度
△Ｔ…補正量
Ｑｆ…循環流量
Ｔｆ…浴槽１１内の湯温
【図１】
0003658755.tif 000002
【図４】
0003658755.tif 000003
【図２】
0003658755.tif 000004
【図３】
0003658755.tif 000005